(57)【要約】【課題】  ファイル属性が分からない音源ファイルでも再生することができる音源供給装置を提供する。【解決手段】  データから音を再生する再生装置に音源ファイルを提供する音源供給装置において、音源ファイルのファイル属性を識別する識別部と、識別部に音源ファイルを供給し、識別部を制御してファイル属性が設定された場合に、音源ファイルを再生装置に送出するよう制御する制御部とを有する。【選択図】      図１
2015036696.tif 000002
【特許請求の範囲】
【請求項１】
データから音を再生する再生装置に音源ファイルを提供する音源供給装置において、
前記音源ファイルのファイル属性を識別する識別部と、
前記識別部に前記音源ファイルを供給し、前記識別部を制御して前記ファイル属性が設定された場合に、前記音源ファイルを前記再生装置に送出するよう制御する制御部と、
を有することを特徴とする音源供給装置。
【請求項２】
前記識別部は、前記ファイル属性の候補に対してリニアＰＣＭへ変換することを特徴とする請求項１記載の音源供給装置。
【請求項３】
前記識別部は、前記リニアＰＣＭへ変換したファイルに対して、音量を測定し、音量が無音ではないファイルを前記再生装置に送出することを特徴とする請求項２記載の音源供給装置。
【請求項４】
前記識別部は、前記リニアＰＣＭへ変換したファイルに対して、周波数分布の規則性を測定し、規則性が高いファイルを前記再生装置に送出することを特徴とする請求項２または３に記載の音源供給装置。
【請求項５】
前記識別部は、前記リニアＰＣＭへ変換したファイルに対して、時間軸での規則性を測定し、規則性が高いファイルを前記再生装置に送出することを特徴とする請求項２から４のいずれかに記載の音源供給装置。
【請求項６】
データから音を再生する再生装置に音源ファイルを提供する音源供給方法において、
前記音源ファイルのファイル属性を識別するステップと、
識別部に前記音源ファイルを供給し、前記識別部を制御して前記ファイル属性が設定された場合に、前記音源ファイルを前記再生装置に送出するよう制御するステップと、
を有することを特徴とする音源供給方法。
【請求項７】
前記ファイル属性を識別するステップは、前記ファイル属性の候補に対してリニアＰＣＭへ変換するステップを有することを特徴とする請求項６記載の音源供給方法。
【請求項８】
前記ファイル属性を識別するステップは、前記リニアＰＣＭへ変換したファイルに対して、音量を測定し、音量が無音ではないファイルを前記再生装置に送出するステップを有することを特徴とする請求項７記載の音源供給方法。
【請求項９】
前記ファイル属性を識別するステップは、前記リニアＰＣＭへ変換したファイルに対して、周波数分布の規則性を測定し、規則性が高いファイルを前記再生装置に送出するステップを有することを特徴とする請求項７または８に記載の音源供給方法。
【請求項１０】
前記ファイル属性を識別するステップは、前記リニアＰＣＭへ変換したファイルに対して、時間軸での規則性を測定し、規則性が高いファイルを前記再生装置に送出するステップを有することを特徴とする請求項７から９のいずれかに記載の音源供給方法。
【発明の詳細な説明】
【技術分野】
【０００１】
本発明は、音源ファイル属性の自動識別機能を有する音源供給装置及び音源供給方法に関する。
【背景技術】
【０００２】
音源供給装置において音源ファイルの再生を行う場合、該当音源のファイル種別やファイル属性（以下ファイル属性と言う）を指定して再生を行う必要がある。ファイル属性を指定しない場合でも、音源ファイルのヘッダ情報に含まれるファイル属性に従って再生を行う必要があった。
【０００３】
上記技術分野では、特許文献１のような技術が開示されている。
【０００４】
特許文献１には、提供先装置が使用できるコーデック情報をデジタルメディアの提供を行う前に取得しておき利用する技術が開示されている。
【先行技術文献】
【特許文献】
【０００５】
【特許文献１】特開２００６−２５９１３３号公報
【発明の概要】
【発明が解決しようとする課題】
【０００６】
特許文献１では、ファイル属性が明確である音源ファイルを再生する場合は問題ないが、音源ファイルによっては、ヘッダ情報が付与されていないためファイル属性が分からない場合がある。この様な音源ファイルは、音源供給装置で再生することができなかった。
【０００７】
本発明の目的は、上述した課題を解決し、ファイル属性が分からない音源ファイルでも再生することができる音源供給装置及び音源供給方法を提供することにある。
【課題を解決するための手段】
【０００８】
本発明は、データから音を再生する再生装置に音源ファイルを提供する音源供給装置において、音源ファイルのファイル属性を識別する識別部と、識別部に音源ファイルを供給し、識別部を制御してファイル属性が設定された場合に、音源ファイルを再生装置に送出するよう制御する制御部とを有することを特徴としている。
【０００９】
また、本発明は、データから音を再生する再生装置に音源ファイルを提供する音源供給方法において、音源ファイルのファイル属性を識別するステップと、識別部に音源ファイルを供給し、識別部を制御してファイル属性が設定された場合に、音源ファイルを再生装置に送出するよう制御するステップとを有することを特徴としている。
【発明の効果】
【００１０】
本発明の効果は、ファイル属性が分からない音源ファイルでも再生することができる音源供給装置を提供することである。
【図面の簡単な説明】
【００１１】
【図１】本発明の実施の形態における音源供給装置の構成を示すブロック図である。
【図２】本発明の実施の形態における音源供給装置の動作を示すフローチャートである。
【発明を実施するための形態】
【００１２】
以下、本発明の実施の形態について図面を参照して詳細に説明する。
（実施の形態）
図１は、本発明の実施の形態における音源供給装置の構成を示すブロック図である。
【００１３】
図１において、本発明の音源供給装置１０は、入力された音源ファイルのファイル属性を自動的に識別する識別部２と、識別されたファイル属性で音源ファイルの再生要求を行う制御部１とを備えている。再生装置３は、識別部２で識別された音源ファイルを再生する。記憶部４は、音源ファイルを記憶しており、音源供給装置１０の内部あるいは外部に備えられている。
【００１４】
図１及び図２を用いて、本発明の実施の形態の動作を説明する。
【００１５】
図２は、識別部２の音源ファイルのファイル属性を識別する際の動作を示すフローチャートである。識別部２は、ファイル属性のリストを保有している。このリストには、ＭＰ３（ＭＰＥＧ  Ａｕｄｉｏ  Ｌａｙｅｒ−３）、ＡＡＣ（Ａｄｖａｎｃｅｄ  Ａｕｄｉｏ  Ｃｏｄｉｎｇ）、ＥＶＲＣ（Ｅｎｈａｎｃｅｄ  Ｖａｒｉａｂｌｅ  Ｒａｔｅ  Ｃｏｄｉｎｇ）等のファイル属性が挙げられている。
【００１６】
制御部１から音源ファイルの再生要求があった場合には、識別部２は、ファイル属性の候補リストを抽出する（Ｓ１０１）。次に、ファイル属性の候補リストに従って順次リニアＰＣＭ（Ｐｕｌｓｅ  Ｃｏｄｅ  Ｍｏｄｕｌａｔｉｏｎ）形式のファイルに変換を行う（Ｓ１０２）。これは、ファイル属性を調査しやすいようにアナログファイルをデジタルファイルに変換することを意味する。変換を行ったファイル属性のうち、変換が正常に完了したもの（Ｓ１０３のＹｅｓ）を自動識別の候補とする。変換ができなかったファイル属性は候補から除外する（Ｓ１０４）。
【００１７】
変換できた音源ファイルについて、ファイル属性リスト毎に音声度を評価する。（Ｓ１０５）。
【００１８】
ここで、音声度とは、音声であるかどうかの度合いを示している。音声度は、複数の評価項目の総合評価で音声度の判定を行う。評価項目としては、全体の音量、周波数分布の規則性、時間軸での規則性の評価を行う。
【００１９】
全体の音量については、非常に小さい音量の場合、例えば、無音に近い状態の音源は、音声でない可能性が高いと判断できるので、音声度の評価を低くする。これは、小さい音量は、背景ノイズである可能性が高いためである。
【００２０】
周波数分布の規則性については、周波数空間に展開した時に平坦な場合は、評価を低くする。一般に、ノイズの場合、周波数空間に展開すると平坦になるためである。
【００２１】
時間軸での規則性については、繰り返しが現れるときに評価を高くする。これは、音声の場合、決まった周波数及びその整数倍の周波数成分が強く現れ、時間軸に展開すると、周波数の逆数である周期での繰り返しが現れるためである。
【００２２】
以上の評価を合計して音声度を求め、これが設定した閾値以上かどうかを判定する（Ｓ１０６）。この時、それぞれの評価に重みづけをして、音声度を求めても良い。また、それぞれの評価項目の１つ、あるいは、２つの評価項目の組み合わせで、音声度の評価を行っても良い。
【００２３】
音声度の評価を行って、設定した閾値以下のファイル属性は（Ｓ１０６のＮｏ）、識別候補から除外する（Ｓ１０７）。
【００２４】
そして、候補リストの中から一番音声度が高いファイル属性を選定し（Ｓ１０８）、選定したファイル属性で、音源ファイルの再生を実行する（Ｓ１０９）。例えば、ファイル属性として、ＭＰ３が選定されたら、選定したファイル属性ＭＰ３を識別部２から再生部３へ出力し、再生部３でファイル属性ＭＰ３の再生を行う。
【００２５】
以上の動作により、ファイル属性が分からない音源ファイルであっても、音源ファイルの音源本体部分からファイル属性を識別することによって再生することができる。
【００２６】
尚、本願発明は、上述の実施の形態に限定されるものではなく、本願発明の要旨を逸脱しない範囲で種々変更、変形して実施することが出来る。
【産業上の利用可能性】
【００２７】
本発明は、データから音を再生する再生装置に、音源ファイルを供給する音源供給装置に利用可能である。
【符号の説明】
【００２８】
１    制御部
２    識別部
３    再生装置
４    記憶部
１０    音源供給装置
【図１】
2015036696.tif 000003
【図２】
2015036696.tif 000004